(57)【要約】【課題】低消費電力化で高輝度化を図ることができる照明装置、液晶装置及び電子機器を提供する。【解決手段】照明装置６は、複数の光源１６を配列し複数の端辺を持つ発光面部２２と、発光面部２２の複数の端辺に沿って配置され、複数の光源１６からの光を反射する複数の側壁と、を有し、複数の側壁のうち少なくとも一つの側壁は、発光面部２２の発光面を側壁の外側に延長した延長面となす傾斜角が異なる少なくとも２つの傾斜面を含み、複数の傾斜面の傾斜角は、発光面部２２に近い側の方が小さく、発光面部２２から遠い側の方が大きい。【選択図】図１
2010021040.tif 000002
【特許請求の範囲】
【請求項１】
複数の光源を配列し複数の端辺を持つ発光面部と、
前記発光面部の前記複数の端辺に沿って配置され、前記複数の光源からの光を反射する複数の側壁と、
を有し、
前記複数の側壁のうち少なくとも一つの側壁は、前記発光面部の発光面を前記側壁の外側に延長した延長面となす傾斜角が異なる少なくとも２つの傾斜面を含み、
前記複数の傾斜面の傾斜角は、前記発光面部に近い側の方が小さく、前記発光面部から遠い側の方が大きいことを特徴とする照明装置。
【請求項２】
請求項１に記載の照明装置において、
前記側壁が、３つ以上の異なる傾斜角を有する複数の傾斜面を有し、前記複数の傾斜面の傾斜角は、前記発光面部に近い側から遠い側にかけて順次大きくなることを特徴とする照明装置。
【請求項３】
請求項１又は２に記載の照明装置において、
前記異なる傾斜角を有する前記傾斜面を接続する境界は、傾斜角が連続的に変化して繋がっていることを特徴とする照明装置。
【請求項４】
請求項１又は２に記載の照明装置において、
前記側壁が曲面で形成されていることを特徴とする照明装置。
【請求項５】
請求項１〜３のいずれか一項に記載の照明装置と、該照明装置の出光側に液晶表示パネルを配置した液晶装置において、
前記液晶表示パネルの表示領域の端部が、前記照明装置を前記発光面部側から平面視して前記傾斜角が最も大きい傾斜面と重なる領域に配置されていることを特徴とする液晶装置。
【請求項６】
請求項４に記載の照明装置と、該照明装置の出光側に液晶表示パネルを配置した液晶装置において、
前記液晶表示パネルの表示領域の端部が、前記照明装置を前記発光面部側から平面視して前記曲面が形成された領域と重なる領域に配置されていることを特徴とする液晶装置。
【請求項７】
請求項５又は６に記載の液晶装置を搭載したことを特徴とする電子機器。
【発明の詳細な説明】
【技術分野】
【０００１】
本発明は、照明装置、液晶装置及び電子機器に関するものである。
【背景技術】
【０００２】
従来、液晶装置の背面照明としての液晶用照明装置は、図５の如く、高輝度の照明装置の実現の立場より、直下型方式のバックライトシステムが広く採用されており、液晶装置２００はバックライト２０２と液晶表示パネル４とを含み、液晶表示パネル４はバックライト２０２の拡散板１８と対向する位置に画像の表示領域Ｄを有する。バックライト２０２は、液晶表示パネル４の表示領域Ｄを照らすものである。バックライト２０２はケース１０を含み、回路基板１４の表面上には光源１６が分散して配置されており、光源１６はケース１０内に収容される。光源１６としては、例えば発光ダイオード（ＬＥＤ）素子等の発光源が用いられるが特に限定されるものではない。回路基板１４は、光源１６に適切な駆動電力を提供するものである。又、バックライト２０２において、光源１６は反射板１２を介して回路基板１４上に配置されており、拡散板１８はケース１０に取付けられ、液晶表示パネル４に光を拡散するものである。
【０００３】
従来の形状に対して反射板が鉛直から上方向に行くに従い内向きに配置された照明装置が開示されている（例えば、特許文献１参照）。又、反射板の傾斜の角度が外側に向かって徐々に水平に近い角度をもつ照明装置が開示されている（例えば、特許文献２参照）。
【０００４】
【特許文献１】特開２００５−２０３３４６号公報
【特許文献２】特開２００６−３５１５４０号公報
【発明の開示】
【発明が解決しようとする課題】
【０００５】
ところが、従来の液晶装置２００は、図５に示す拡散板１８と液晶表示パネル４の表示領域Ｄの周辺領域Ｐに、光源１６から十分な量の光Ｌを受けることができないため、表示領域Ｄの周辺領域Ｐは、その他の表示領域に比べて画像表示が暗くなる。又、液晶装置２００がカラー表示システムの場合には、周辺領域Ｐは、光源１６が異なる波長の光を出すときに光源１６から十分な各色の光を受けられないため、表示された画像に偏色が生じてしまう。
【課題を解決するための手段】
【０００６】
本発明は、上述の課題の少なくとも一部を解決するためになされたものであり、以下の形態又は適用例として実現することが可能である。
【０００７】
［適用例１］複数の光源を配列し複数の端辺を持つ発光面部と、前記発光面部の前記複数の端辺に沿って配置され、前記複数の光源からの光を反射する複数の側壁と、を有し、前記複数の側壁のうち少なくとも一つの側壁は、前記発光面部の発光面を前記側壁の外側に延長した延長面となす傾斜角が異なる少なくとも２つの傾斜面を含み、前記複数の傾斜面の傾斜角は、前記発光面部に近い側の方が小さく、前記発光面部から遠い側の方が大きいことを特徴とする照明装置。
【０００８】
これによれば、側壁の傾斜角が段階的に鉛直方向に立ち上がるので、途中から鉛直に近い角度で立ち上がった側壁をもつことで、光の照射範囲を有効に活用できるため、高輝度化を図ることができる。又、高輝度化による光源の数量の削減も可能であり、低消費電力化を図ることができる。更に、傾斜角度が上面に行くほど急になるため従来技術に比べて額縁の寸法が少なくてすむ狭額縁化を図ることができる。又、液晶装置がカラー表示システムの場合には、周辺領域が光源から十分な各色の光を受けられるため、表示された画像の色再現性を向上させることができる。
【０００９】
［適用例２］上記照明装置であって、前記側壁が、３つ以上の異なる傾斜角を有する複数の傾斜面を有し、前記複数の傾斜面の傾斜角は、前記発光面部に近い側から遠い側にかけて順次大きくなることを特徴とする照明装置。
【００１０】
これによれば、光の照射範囲を有効に活用できるので、光源の数量の削減による低消費電力で、色再現の広色域且つ高輝度が可能である。
【００１１】
［適用例３］上記照明装置であって、前記異なる傾斜角を有する前記傾斜面を接続する境界は、傾斜角が連続的に変化して繋がっていることを特徴とする照明装置。
【００１２】
これによれば、更に光の照射範囲を有効に活用できるので、光源の数量の削減による低消費電力で、色再現の広色域且つ高輝度が顕著である。
【００１３】
［適用例４］上記照明装置であって、前記側壁が曲面で形成されていることを特徴とする照明装置。
【００１４】
これによれば、更に光の照射範囲を有効に活用できるので、光源の数量の削減による低消費電力で、色再現の広色域且つ高輝度が格別顕著である。
【００１５】
［適用例５］上記のいずれか一項に記載の照明装置と、該照明装置の出光側に液晶表示パネルを配置した液晶装置において、前記液晶表示パネルの表示領域の端部が、前記照明装置を前記発光面部側から平面視して前記傾斜角が最も大きい傾斜面と重なる領域に配置されていることを特徴とする液晶装置。
【００１６】
これによれば、照明装置の光の照射範囲を有効に活用できるので、光源の数量の削減による低消費電力で、色再現の広色域且つ高輝度が可能な液晶装置を実現することができる。
【００１７】
［適用例６］上記に記載の照明装置と、該照明装置の出光側に液晶表示パネルを配置した液晶装置において、前記液晶表示パネルの表示領域の端部が、前記照明装置を前記発光面部側から平面視して前記曲面が形成された領域と重なる領域に配置されていることを特徴とする液晶装置。
【００１８】
これによれば、照明装置の光の照射範囲を有効に活用できるので、光源の数量の削減による低消費電力で、色再現の広色域且つ高輝度が格別顕著な液晶装置を実現することができる。
【００１９】
［適用例７］上記に記載の液晶装置を搭載したことを特徴とする電子機器。
【００２０】
これによれば、上記液晶装置を備えることにより、低消費電力でありながら色再現の広色域且つ高輝度が可能な電子機器を実現することができる。
【発明を実施するための最良の形態】
【００２１】
以下、図面を参照し、照明装置としてのバックライトの実施形態について説明する。尚、各実施形態で参照する図面においては、各層や各部材を図面上で認識可能な程度の大きさとするため、各層や各部材毎に縮尺を異ならせて表示している。
【００２２】
（第１の実施形態）
図１は、本実施形態に係る液晶装置を示す断面図である。本実施形態における液晶装置２は、図１に示すように、画像を示すための液晶表示パネル４と、液晶表示パネル４に均一な光Ｌを照射するためのバックライト６とを備える。
【００２３】
液晶表示パネル４は、上部及び下部基板の間に、液晶セルがアクティブマトリクス状に配列され、この液晶セルそれぞれに電界を印加するための画素電極と共通電極が設けられる。このような画素電極それぞれはスイッチ素子に使用される薄膜トランジスタ（ＴＦＴ）に接続される。画素電極は薄膜トランジスタを通じて供給されるデータ信号に応じて、共通電極と共に液晶セルを駆動し、ビデオ信号に当たる画像を示す。液晶表示パネル４は、画像を表示する表示領域Ｄを含む。
【００２４】
バックライト６は、ケース１０と、ケース１０の内部空間に装着される反射板１２と、ケース１０の内部空間に装着される回路基板１４と、ケース１０内の回路基板１４上に配置される複数のＬＥＤ素子（光源）１６と、ＬＥＤ素子１６と反射板１２が内蔵されたケース１０の開口部を遮蔽する拡散板１８及び拡散板１８上に積層される光学シート２０を備える。バックライト６は、ＬＥＤ素子１６が直接、液晶表示パネル４を照射する直下型バックライトになっている。バックライト６の出光側には液晶表示パネル４が配置される。
【００２５】
ケース１０は、内部に反射板１２とＬＥＤ素子１６とが配置されるように、容器形態に製作される。このケース１０の縁部と拡散板１８の縁部とが固定され、ケース１０の底面には反射板１２が付着される。ケース１０は、側壁の内側に反射板１２を含んでおり、ＬＥＤ素子１６から射出された光Ｌを反射させる。
【００２６】
反射板１２は、ＬＥＤ素子１６からの光Ｌを拡散板１８側に反射させる。反射板１２は、ＬＥＤ素子１６からの光Ｌを反射する側壁を有している。側壁は、回路基板１４上の発光面部２２の複数の端辺の近傍に立てられている。側壁は、第１の傾斜面２４と第２の傾斜面２６とを含んでいる。側壁は、ケース１０の両側において対称的に所定の第１の傾斜角２８で立てられた第１の傾斜面２４、その第１の傾斜面２４のそれぞれで対称的に所定の第２の傾斜角３０で立てられた第２の傾斜面２６を含んでいる。
【００２７】
第１の傾斜面２４は、側壁の発光面部２２側の端部に形成されている。第１の傾斜面２４は、発光面部２２の発光面を側壁の外側に延長した延長面となす角度が９０度より小さい第１の傾斜角２８を有している。第２の傾斜面２６は、第１の傾斜面２４よりも側壁の発光面部２２側の端部とは反対側に形成されている。第２の傾斜面２６は、第１の傾斜面２４よりも傾斜角が大きい第２の傾斜角３０を有している。
【００２８】
第１の傾斜面２４は、発光面部２２の発光面を側壁の外側に延長した延長面（或いは、ケース１０の底面）に対して第１の傾斜角２８に傾き、第２の傾斜面２６は、発光面部２２の発光面を側壁の外側に延長した延長面（或いは、ケース１０の底面）に対して第１の傾斜角２８より大きい第２の傾斜角３０で第１の傾斜面２４から伸張され、末端が拡散板１８の一側の末端の近傍に位置している。傾斜角が異なる第１の傾斜面２４と第２の傾斜面２６との境界は、連続的に角度が変化して繋がっていることが望ましく、曲面であることが更に望ましい。
【００２９】
液晶表示パネル４の表示領域Ｄの端部は、バックライト６を発光面部２２側から平面視して第２の傾斜面２６（最も傾斜角が大きい傾斜面）と重なる領域３２に配置されている。これにより、バックライト６の光Ｌの照射範囲を有効に活用できるので、ＬＥＤ素子１６の数量の削減による低消費電力で、色再現の広色域且つ高輝度が可能な液晶装置を実現することができる。
【００３０】
尚、反射板１２において、第１及び第２の傾斜面２４，２６の勾配と高さは、ＬＥＤ素子１６からの光Ｌが側壁内で十分に混合された後に拡散板１８側に進行するように最適化されるように構成されている。このような反射板１２は、反射率の高い、軽いアルミニウムやプラスチック材質に形成される。
【００３１】
回路基板１４は、ＬＥＤ素子１６に駆動電力を提供するのに必要な回路を含むものである。回路基板１４は、複数のＬＥＤ素子１６を配列し複数の端辺を有している。回路基板１４は、発光面部２２を構成している。
【００３２】
ＬＥＤ素子１６は、例えば、白色発光ＬＥＤのような単色のもののみを用いてもよい。白色発光ＬＥＤをカラーフィルタと共に用いると、カラー表示を得ることができる。又、ＬＥＤ素子１６は、青色光を発生する青色発光ＬＥＤと、緑色光を発生する緑色発光ＬＥＤ及び赤色光を発生する赤色発光ＬＥＤを含んでいてもよい。ＬＥＤ素子１６から射出された異なる波長の光は、統合されることにより、液晶表示パネル４において広い範囲のカラー表示を得ることができる。
【００３３】
このようなＬＥＤ素子１６のそれぞれは、半導体のｐ−ｎ接合構造を用いて注入された小数キャリア（電子又は陽孔）を作り出し、これらの再結合により発光させるものとして、発光ダイオードに適合な材料には、発光波長が可視又は近赤外領域に存在し、発光効率が高くて、ｐ−ｎ接合で製作できる砒素化ガリウム（ＧａＡｓ）、燐化ガリウム（ＧａＰ）、ガリウム−砒素−燐（ＧａＡｓＰ）、ガリウム−アルミニウム−砒素（ＧａＡｌＡｓ）、燐化インジウム（ＩｎＰ）、インジウム−ガリウム−燐（ＩｎＧａＰ）等の化合物半導体が使用される。
【００３４】
拡散板１８は、反射板１２からの光Ｌを拡散させ、液晶表示パネル４の表示面の全体に対して光Ｌの均一度を増大させる。拡散板１８は、ＬＥＤ素子１６から射出された光Ｌを液晶表示パネル４に導くものであり、ケース１０に接合されている。
【００３５】
光学シート２０は、光Ｌを拡散させるための少なくとも一枚の拡散シートと、光Ｌの経路を液晶表示パネル４の表示面に対して略垂直に立ち上がるための少なくとも一枚のプリズムシートとを含んでいてもよい。
【００３６】
次に、回路基板１４のＬＥＤ素子１６の配置について説明をする。
図２は、本実施形態に係る回路基板のＬＥＤ素子の配置を示す図である。
図２には、ＬＥＤ素子１６として赤（Ｒ）、緑（Ｇ）及び青（Ｂ）の色の発光ＬＥＤを含むものを示しているが、ＬＥＤ素子１６は、赤（Ｒ）、緑（Ｇ）及び青（Ｂ）に限らず、所望の色の光を射出するどのような種類の光源を含むものであってもよい。尚、ＬＥＤ素子１６は、照射される光Ｌが回路基板１４に適する限り、個々の光源がどのような形態に配列されていてもよい。例えば、ＬＥＤ素子１６は、デルタ配列等の配置を採用することができる。
【００３７】
次に、液晶表示パネル４の製造工程について説明する。このような液晶表示パネル４の工程は、基板洗浄工程、基板パターニング工程、配向膜形成／ラビング工程、基板合着／液晶注入工程、実装工程、検査工程、リペア工程等に分けられる。
【００３８】
基板洗浄工程においては、基板の表面にある汚れた異物質を洗浄液で除去するようになる。
【００３９】
基板パターニング工程においては、液晶表示パネルの上部基板（カラーフィルタ基板）のパターニングと下部基板（ＴＦＴ−アレイ基板）のパターニングに分けられる。上部基板には、カラーフィルタ、共通電極、ブラックマトリクス等が形成される。下部基板には、データラインとゲートライン等の信号配線が形成され、データラインとゲートラインとの交差部にＴＦＴが形成され、ＴＦＴのソース電極に接続されるデータラインとゲートラインの間の画素領域に画素電極が形成される。
【００４０】
配向膜形成／ラビング工程においては、上部基板と下部基板のそれぞれに配向膜を塗布し、その配向膜をラビング布等にラビングする。
【００４１】
基板合着／液晶注入工程においては、シーラント（Sealant）を用いて上部基板と下部基板とを合着し、液晶注入口を通じて液晶とスペーサを注入した後、その液晶注入口を封止する工程が行われる。
【００４２】
液晶表示パネル４の実装工程においては、ゲートドライブ集積回路及びデータドライブ集積回路等の集積回路が実装されたテープキャリアパッケージ（ＴＣＰ）を基板上のパッド部に接続させる。このようなドライブ集積回路は前述のＴＣＰを用いたＴＡＢ（Tape Automated Bonding）方式以外に、ＣＯＧ（Chip On Glass）方式等により基板上に直接実装されることもできる。
【００４３】
検査工程は、下部基板に各種信号配線と画素電極が形成された後に行われる電気的検査と、基板合着／液晶注入工程の後に行われる電気的検査及び肉眼検査を含む。
【００４４】
リペア工程は、検査工程によりリペアできると判定された基板に対する復元を行う。このような工程により完成された液晶表示パネル４と共に、バックライトユニット、印刷回路ボード（ＰＣＢ）及びケース／キャッシュ部材が組立てられたモジュールを液晶表示モジュールであるという。
【００４５】
本実施形態によれば、側壁が第１の傾斜面２４と第２の傾斜面２６とを含み、第１の傾斜面２４は、側壁の発光面部２２側の端部に形成され、発光面部２２の発光面を側壁の外側に延長した延長面となす角度が９０度より小さい第１の傾斜角２８を有し、第２の傾斜面２６は、第１の傾斜面２４よりも側壁の発光面部２２側の端部とは反対側に形成され、第１の傾斜面２４よりも傾斜角が大きい第２の傾斜角３０を有することにより、側壁の傾斜角が段階的に鉛直方向に立ち上がるので、途中から鉛直に近い角度で立ち上がった反射板１２をもつことで、拡散板１８と液晶表示パネル４の表示領域Ｄとの周辺領域Ｐに、ＬＥＤ素子１６から十分な量の光Ｌを受けることができるため、高輝度化を図ることができる。
【００４６】
又、高輝度化によるＬＥＤ素子１６の数量の削減も可能であり、低消費電力化を図ることができる。
【００４７】
更に、傾斜角度が上面に行くほど急になるため従来技術に比べて額縁３４の寸法が少なくてすむ狭額縁化を図ることができる。
【００４８】
又、液晶装置２がカラー表示システムの場合には、拡散板１８の周辺領域ＰにＬＥＤ素子１６から十分な各色の光Ｌを受けられるため、表示された画像の色再現性を向上させることができる。
【００４９】
［第２の実施形態］
上述した第１の実施形態は、２つの傾斜面を有する側壁を備えるバックライトを採用していた。これに対して、本実施形態においては、３つの傾斜面を有する側壁を備えるバックライトを採用している点において異なる。以下に、本実施形態について図を参照して詳細に説明する。尚、上記第１の実施形態と同様の構成等については省略又は簡略化して説明する。
【００５０】
図３（Ａ）は、本実施形態に係るバックライトを示す図である。本実施形態におけるバックライト３５の側壁は、図３（Ａ）に示すように、第１の傾斜面３６と第２の傾斜面３８と第３の傾斜面４０とを含んでいる。側壁は、ケース１０の両側において対称的に所定の第１の傾斜角４２で立てられた第１の傾斜面３６、その第１の傾斜面３６のそれぞれで対称的に所定の第２の傾斜角４４で立てられた第２の傾斜面３８及びその第２の傾斜面３８のそれぞれで対称的に所定の第３の傾斜角４６で立てられた第３の傾斜面４０を含んでいる。
【００５１】
第１の傾斜面３６は、側壁の発光面部２２側の端部に形成されている。第１の傾斜面３６は、発光面部２２の発光面を側壁の外側に延長した延長面となす角度が９０度より小さい第１の傾斜角４２を有している。
【００５２】
第２の傾斜面３８は、第１の傾斜面３６よりも側壁の発光面部２２側の端部とは反対側に形成されている。第２の傾斜面３８は、第１の傾斜面３６よりも傾斜角が大きい第２の傾斜角４４を有している。
【００５３】
第３の傾斜面４０は、第２の傾斜面３８よりも側壁の発光面部２２側の端部とは反対側に形成されている。第３の傾斜面４０は、第２の傾斜面３８よりも傾斜角が大きい第３の傾斜角４６を有している。
【００５４】
第１の傾斜面３６は、発光面部２２の発光面を側壁の外側に延長した延長面に対して第１の傾斜角４２に傾き、第２の傾斜面３８は、発光面部２２の発光面を側壁の外側に延長した延長面に対して第１の傾斜角４２より大きい第２の傾斜角４４で第１の傾斜面３６から伸張され、第３の傾斜面４０は、発光面部２２の発光面を側壁の外側に延長した延長面に対して第２の傾斜角４４より大きい第３の傾斜角４６で第２の傾斜面３８から伸張され、末端が拡散板１８の一側の末端の近傍に位置している。
【００５５】
本実施形態によれば、バックライト６の光の照射範囲を有効に活用できるので、ＬＥＤ素子１６の数量の削減による低消費電力で、色再現の広色域且つ高輝度が可能な液晶装置を実現することができる。
【００５６】
［第３の実施形態］
上述した第１の実施形態は、２つの傾斜面を有する側壁を備えるバックライトを採用していた。これに対して、本実施形態においては、曲面を有する側壁を備えるバックライトを採用している点において異なる。以下に、本実施形態について図を参照して詳細に説明する。尚、上記第１の実施形態と同様の構成等については省略又は簡略化して説明する。
【００５７】
図３（Ｂ）は、本実施形態に係るバックライトを示す図である。本実施形態におけるバックライト４１の側壁は、図３（Ｂ）に示すように、角度で傾けられる代わりに曲面４８として形成される。側壁は、各種の形状を用いて、表示領域Ｄ全体における光度を最適化させるように構成することができる。本実施形態のような曲面４８における傾斜角は、曲面４８の接線と発光面部２２の発光面を側壁の外側に延長した延長面となす角度である。この場合においても、傾斜角は、発光面部２２に近い側から発光面部２２から遠い側にかけて大きくなるように設定される。例えば、図３（Ｂ）の断面図において、曲面４８の第１の傾斜角５０は、曲面４８の点Ａにおける接線５１と発光面部２２の発光面を側壁の外側に延長した延長面となす角度である。又、曲面４８の第２の傾斜角５２は、曲面４８上の点Ｂにおける接線５３と発光面部２２の発光面を側壁の外側に延長した延長面となす角度である。傾斜角は、発光面部２２に近い側の第１の傾斜角５０より、発光面部２２から遠い側の第２の傾斜角５２の方が大きくなっている。
【００５８】
又、本実施形態においては、液晶表示パネル４の表示領域Ｄの端部は、バックライト４１を発光面部２２側から平面視して曲面４８が形成された領域に配置されている。これにより、バックライト６の光の照射範囲を有効に活用できるので、ＬＥＤ素子１６の数量の削減による低消費電力で、色再現の広色域且つ高輝度が可能な液晶装置を実現することができる。
【００５９】
［電子機器］
次に、上述した液晶装置２を備えた電子機器の例について、図を用いて説明する。
図４は、本実施形態に係る液晶装置が適用された携帯電話を示す斜視図である。図４において、携帯電話１００は、複数の操作ボタン１０２と共に、上述した液晶装置２と同様の構成を有する液晶装置１０４を備えている。
【００６０】
これらの電子機器においても、上述した液晶装置２と同様の構成を含んでいるため、上述した各種効果を好適に享受することができる。液晶装置２を備えることにより、低消費電力でありながら色再現の広色域且つ高輝度が可能な電子機器を実現することができる。
【００６１】
尚、上述した液晶装置２は、上記携帯電話以外にも種々の電子機器に適用することができる。例えば、液晶プロジェクタ、マルチメディア対応のパーソナルコンピュータ（ＰＣ）及びエンジニアリング・ワークステーション（ＥＷＳ）、ページャ、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置等の電子機器に適用することが可能である。
【図面の簡単な説明】
【００６２】
【図１】第１の実施形態に係る液晶装置を示す断面図。
【図２】第１の実施形態に係る回路基板の光源の配置を示す図。
【図３】第２及び第３の実施形態に係るバックライトを示す図。
【図４】本実施形態に係る液晶装置が適用された携帯電話を示す斜視図。
【図５】従来の液晶装置を示す概略図。
【符号の説明】
【００６３】
２…液晶装置  ４…液晶表示パネル  ６…バックライト（照明装置）  １０…ケース  １２…反射板  １４…回路基板  １６…ＬＥＤ素子（光源）  １８…拡散板  ２０…光学シート  ２２…発光面部  ２４…第１の傾斜面  ２６…第２の傾斜面  ２８…第１の傾斜角  ３０…第２の傾斜角  ３２…領域  ３４…額縁  ３５…バックライト  ３６…第１の傾斜面  ３８…第２の傾斜面  ４０…第３の傾斜面  ４１…バックライト  ４２…第１の傾斜角  ４４…第２の傾斜角  ４６…第３の傾斜角  ４８…曲面  ５０…第１の傾斜角  ５１…接線  ５２…第２の傾斜角  ５３…接線  １００…携帯電話  １０２…操作ボタン  １０４…液晶装置。
【図１】
2010021040.tif 000003
【図２】
2010021040.tif 000004
【図３】
2010021040.tif 000005
【図４】
2010021040.tif 000006
【図５】
2010021040.tif 000007